(57)【要約】【課題】緊急地震速報を放送するシステムにおいて、館内放送装置の稼動の無駄を無くすとともに雑音の発生を防止できるようにすることを目的とする。【解決手段】緊急地震速報装置１００は地震情報配信サーバ３００から緊急地震速報を受信した際に緊急地震速報の音声信号と共に接点信号を館内放送設備２００に送出する。館内放送設備２００は接点信号入力端子２７０が接点信号を入力している時だけライン入力端子２７１が入力している信号をスピーカ４００から音声出力する。接点信号入力端子２７０が接点信号を入力している時にライン入力端子２７１が入力している信号は緊急地震速報の音声信号であるため、館内放送設備２００は緊急地震速報だけを音声出力できる。【選択図】図１
2008166975.tif 000002
【特許請求の範囲】
【請求項１】
地震速報を出力する地震速報装置と地震速報装置から出力された地震速報を放送する放送装置とを有し、地震速報装置と放送装置とを地震速報を伝送させる第一のケーブルと第一のケーブルとは別の第二のケーブルとにより接続しておく地震速報システムであり、
地震速報装置は、
地震速報を示す音声信号を第一のケーブルを用いて放送装置に送出するライン出力端子と、
前記ライン出力端子による地震速報を示す音声信号の送出中に接点信号を第二のケーブルを用いて放送装置に送出する接点信号出力端子と
を備え、
放送装置は、
地震速報装置が送出した地震速報を示す音声信号を第一のケーブルから入力するライン入力端子と、
地震速報装置が送出した接点信号を第二のケーブルから入力する接点信号入力端子と、
前記接点信号入力端子が接点信号を入力している時に前記ライン入力端子の入力に基づいて地震速報を放送する放送制御部と
を備える
ことを特徴とする地震速報システム。
【請求項２】
地震速報を放送する放送装置に対して地震速報を伝送させる第一のケーブルと第一のケーブルとは別の第二のケーブルとにより接続し、放送装置に地震速報を出力する地震速報装置であり、
地震速報を示す音声信号を第一のケーブルを用いて放送装置に送出するライン出力端子と、
前記ライン出力端子による地震速報を示す音声信号の送出中に第一のケーブルからの入力に基づいて地震速報を放送させるための接点信号を第二のケーブルを用いて放送装置に送出する接点信号出力端子と
を備える
ことを特徴とする地震速報装置。
【請求項３】
地震速報を出力する地震速報装置に対して地震速報を伝送させる第一のケーブルと第一のケーブルとは別の第二のケーブルとにより接続し、地震速報装置から出力された地震速報を放送する放送装置であり、
地震速報装置が送出した地震速報を示す音声信号を第一のケーブルから入力するライン入力端子と、
地震速報装置が地震速報を示す音声信号の送出中に送出した接点信号を第二のケーブルから入力する接点信号入力端子と、
前記接点信号入力端子が接点信号を入力している時に前記ライン入力端子の入力に基づいて地震速報を放送する放送制御部と
を備える
ことを特徴とする放送装置。
【請求項４】
地震速報を放送する放送装置に対して地震速報を伝送させる第一のケーブルと第一のケーブルとは別の第二のケーブルとにより接続し、放送装置に地震速報を出力する地震速報装置の地震速報プログラムであり、
地震速報装置において、
ライン出力端子が地震速報を示す音声信号を第一のケーブルを用いて放送装置に送出するライン出力処理と、
接点信号出力端子が前記ライン出力端子による地震速報を示す音声信号の送出中に第一のケーブルからの入力に基づいて地震速報を放送させるための接点信号を第二のケーブルを用いて放送装置に送出する接点信号出力処理と
をコンピュータに実行させることを特徴とする地震速報装置の地震速報プログラム。
【請求項５】
地震速報を出力する地震速報装置に対して地震速報を伝送させる第一のケーブルと第一のケーブルとは別の第二のケーブルとにより接続し、地震速報装置から出力された地震速報を放送する放送装置の地震速報プログラムであり、
ライン入力端子が地震速報装置の送出した地震速報を示す音声信号を第一のケーブルから入力するライン入力処理と、
接点信号入力端子が地震速報装置が地震速報を示す音声信号の送出中に送出した接点信号を第二のケーブルから入力する接点信号入力処理と、
放送制御部が前記接点信号入力端子が接点信号を入力している時に前記ライン入力端子の入力に基づいて地震速報を放送する放送制御処理と
をコンピュータに実行させることを特徴とする放送装置の地震速報プログラム。
【請求項６】
地震速報を出力する地震速報装置と地震速報装置から出力された地震速報を放送する放送装置とを有し、地震速報装置と放送装置とを地震速報を伝送させる第一のケーブルと第一のケーブルとは別の第二のケーブルとにより接続しておく地震速報システムの地震速報方法であり、
地震速報装置において、
ライン出力端子が地震速報を示す音声信号を第一のケーブルを用いて放送装置に送出するライン出力処理を行い、
接点信号出力端子が前記ライン出力端子による地震速報を示す音声信号の送出中に接点信号を第二のケーブルを用いて放送装置に送出する接点信号出力処理を行い、
放送装置において、
ライン入力端子が地震速報装置の送出した地震速報を示す音声信号を第一のケーブルから入力するライン入力処理を行い、
接点信号入力端子が地震速報装置の送出した接点信号を第二のケーブルから入力する接点信号入力処理を行い、
放送制御部が前記接点信号入力端子が接点信号を入力している時に前記ライン入力端子の入力に基づいて地震速報を放送する放送制御処理を行う
ことを特徴とする地震速報システムの地震速報方法。
【請求項７】
前記地震速報装置は複数の前記放送装置と接続し、
前記地震速報装置は、さらに、
当該放送装置に第一のケーブルからの入力に基づいて放送を行わせる接点信号のパターン情報を各放送装置に対応させて記憶する記憶機器と、
前記記憶機器に記憶されている接点信号のパターン情報が示す当該放送装置に対するパターンで前記接点信号出力端子に各放送装置への接点信号の送出を行わせる接点信号出力制御部と
を備えることを特徴とする請求項１記載の地震速報システム。
【請求項８】
前記地震速報装置は、さらに、
地震速報を構成する複数の音声情報を記憶すると共に、当該震度での地震速報を構成する各音声情報の出力タイミング情報を各震度に対応させて記憶する記憶機器と、
前記記憶機器に記憶されている音声情報の出力タイミング情報が示すタイミングで当該震度での地震速報を構成する各音声情報を示す音声信号を前記ライン出力端子に送出させるライン出力制御部と
を備えることを特徴とする請求項１記載の地震速報システム。
【請求項９】
前記地震速報装置は、さらに、
所定の震度以上の地震発生時に前記接点信号出力端子に接点信号を送出させる接点信号出力制御部
を備えることを特徴とする請求項１記載の地震速報システム。
【請求項１０】
前記放送装置は、さらに、
任意の音声情報を示す音声信号を送出する音声情報装置と第三のケーブルにより接続し、
前記放送装置は、さらに、
前記音声情報装置が送出した音声情報を示す音声信号を第三のケーブルから入力する第二のライン入力端子を備え、
前記放送装置の前記放送制御部は、
前記接点信号入力端子が接点信号を入力している時は前記ライン入力端子の入力に基づいて地震速報を放送し、前記接点信号入力端子が接点信号を入力していない時は前記第二のライン入力端子の入力に基づいて音声情報を放送する
ことを特徴とする請求項１記載の地震速報システム。
【請求項１１】
不定期に発生する不定期情報を配信する配信装置と配信装置から配信された不定期情報に対する特定処理を行う処理装置とを有する配信システムであり、
配信装置は、
不定期情報を処理装置に送出する情報出力部と、
前記情報出力部による不定期情報の送出中に所定の信号を処理装置に送出する信号出力部と
を備え、
処理装置は、
配信装置が送出した不定期情報を入力する情報入力部と、
配信装置が送出した所定の信号を入力する信号入力部と、
前記信号入力部が所定の信号を入力している時に前記情報入力部の入力に基づいて不定期情報に対する特定処理を行う制御部と
を備える
ことを特徴とする配信システム。
【請求項１２】
不定期に発生する不定期情報に対する特定処理を行う処理装置に不定期情報を配信する配信装置であり、
不定期情報を処理装置に送出する情報出力部と、
前記情報出力部による不定期情報の送出中に前記情報出力部からの入力に基づいて不定期情報に対する特定処理を行わせるための所定の信号を処理装置に送出する信号出力部とを備える
ことを特徴とする配信装置。
【請求項１３】
不定期に発生する不定期情報を配信する配信装置から配信された不定期情報に対する特定処理を行う処理装置であり、
配信装置が送出した不定期情報を入力する情報入力部と、
配信装置が不定期情報の送出中に送出した所定の信号を入力する信号入力部と、
前記信号入力部が所定の信号を入力している時に前記情報入力部の入力に基づいて不定期情報に対する特定処理を行う制御部と
を備える
ことを特徴とする処理装置。
【請求項１４】
不定期に発生する不定期情報に対する特定処理を行う処理装置に不定期情報を配信する配信装置の配信プログラムであり、
配信装置において、
情報出力部が不定期情報を処理装置に送出する情報出力処理と、
信号出力部が前記情報出力部による不定期情報の送出中に前記情報出力部からの入力に基づいて不定期情報に対する特定処理を行わせるための所定の信号を処理装置に送出する信号出力処理と
をコンピュータに実行させることを特徴とする配信装置の配信プログラム。
【請求項１５】
不定期に発生する不定期情報を配信する配信装置から配信された不定期情報に対する特定処理を行う処理装置の処理プログラムであり、
処理装置において、
情報入力部が配信装置の送出した不定期情報を入力する情報入力処理と、
信号入力部が配信装置が不定期情報の送出中に送出した所定の信号を入力する信号入力処理と、
制御部が前記信号入力部が所定の信号を入力している時に前記情報入力部の入力に基づいて不定期情報に対する特定処理を行う制御処理と
をコンピュータに実行させることを特徴とする処理装置の処理プログラム。
【請求項１６】
不定期に発生する不定期情報を配信する配信装置と配信装置から配信された不定期情報に対する特定処理を行う処理装置とを有する配信システムの配信方法であり、
配信装置において、
情報出力部が不定期情報を処理装置に送出する情報出力処理を行い、
信号出力部が前記情報出力部による不定期情報の送出中に所定の信号を処理装置に送出する信号出力処理を行い、
処理装置において、
情報入力部が配信装置の送出した不定期情報を入力する情報入力処理を行い、
信号入力部が配信装置の送出した所定の信号を入力する信号入力処理を行い、
制御部が前記信号入力部が所定の信号を入力している時に前記情報入力部の入力に基づいて不定期情報に対する特定処理を行う制御処理を行う
ことを特徴とする配信システムの配信方法。
【発明の詳細な説明】
【技術分野】
【０００１】
本発明は、地震速報システム、地震速報装置、放送装置、地震速報装置の地震速報プログラム、放送装置の地震速報プログラム、地震速報システムの地震速報方法、配信システム、配信装置、処理装置、配信装置の配信プログラム、処理装置の処理プログラムおよび配信システムの配信方法に関するものである。
【背景技術】
【０００２】
気象庁による緊急地震速報を提供するサービスが始まり、緊急地震速報を有効活用することにより地震による災害を最小限に抑えることが望まれる。
特許文献１では緊急地震速報端末およびその使用方法について記載している。
【特許文献１】特開２００６−１４５２３４号公報
【発明の開示】
【発明が解決しようとする課題】
【０００３】
図９は、地震速報システム９０１の一例である。
図９は、地震情報配信サーバ３００が検出した地震の情報（緊急地震速報）を緊急地震速報装置８１０に送信し、緊急地震速報装置８１０が受信した緊急地震速報を示す音声信号を館内放送設備８２０に通知し、館内放送設備８２０がスピーカ４００（スピーカ４００Ａ、スピーカ４００Ｂ、・・・）を用いて緊急地震速報を放送するといった地震速報システム９０１を示している。
例えば、図９に示すような構成においてスピーカ４００を用いて緊急地震速報を館内放送する場合、緊急地震速報は不定期に発生する情報であり緊急性が非常に高い情報であるという特徴を持つため、緊急地震速報用のライン入力をスピーカ４００に常時接続する必要がある。つまり、館内放送設備８２０は緊急地震速報装置８１０から入力した信号を常時スピーカ４００から音声出力する。
しかし、緊急地震速報用のライン入力をスピーカ４００に常時接続すると、地震情報とは無関係に発生した電気的ノイズが原因でスピーカ４００からは常時または断続的に雑音が出力される。これにより、例えば人に不快感を与えてしまい、館内放送の質の低下を招いてしまう。さらに、緊急地震速報の有無に関らずスピーカ４００からの出力を行うため、館内放送装置８２０の稼動の無駄が多いということになる。
【０００４】
本発明は、例えば、緊急地震速報を放送するシステムにおいて、館内放送装置の稼動の無駄を無くすとともに雑音の発生を防止できるようにすることを目的とする。
【課題を解決するための手段】
【０００５】
本発明の地震速報システムは、地震速報を出力する地震速報装置と地震速報装置から出力された地震速報を放送する放送装置とを有し、地震速報装置と放送装置とを地震速報を伝送させる第一のケーブルと第一のケーブルとは別の第二のケーブルとにより接続しておく地震速報システムであり、地震速報装置は、地震速報を示す音声信号を第一のケーブルを用いて放送装置に送出するライン出力端子と、前記ライン出力端子による地震速報を示す音声信号の送出中に接点信号を第二のケーブルを用いて放送装置に送出する接点信号出力端子とを備え、放送装置は、地震速報装置が送出した地震速報を示す音声信号を第一のケーブルから入力するライン入力端子と、地震速報装置が送出した接点信号を第二のケーブルから入力する接点信号入力端子と、前記接点信号入力端子が接点信号を入力している時に前記ライン入力端子の入力に基づいて地震速報を放送する放送制御部とを備えることを特徴とする。
【０００６】
本発明の地震速報装置は、地震速報を放送する放送装置に対して地震速報を伝送させる第一のケーブルと第一のケーブルとは別の第二のケーブルとにより接続し、放送装置に地震速報を出力する地震速報装置であり、地震速報を示す音声信号を第一のケーブルを用いて放送装置に送出するライン出力端子と、前記ライン出力端子による地震速報を示す音声信号の送出中に第一のケーブルからの入力に基づいて地震速報を放送させるための接点信号を第二のケーブルを用いて放送装置に送出する接点信号出力端子とを備えることを特徴とする。
【０００７】
本発明の放送装置は、地震速報を出力する地震速報装置に対して地震速報を伝送させる第一のケーブルと第一のケーブルとは別の第二のケーブルとにより接続し、地震速報装置から出力された地震速報を放送する放送装置であり、地震速報装置が送出した地震速報を示す音声信号を第一のケーブルから入力するライン入力端子と、地震速報装置が地震速報を示す音声信号の送出中に送出した接点信号を第二のケーブルから入力する接点信号入力端子と、前記接点信号入力端子が接点信号を入力している時に前記ライン入力端子の入力に基づいて地震速報を放送する放送制御部とを備えることを特徴とする。
【０００８】
本発明の地震速報装置の地震速報プログラムは、地震速報を放送する放送装置に対して地震速報を伝送させる第一のケーブルと第一のケーブルとは別の第二のケーブルとにより接続し、放送装置に地震速報を出力する地震速報装置の地震速報プログラムであり、地震速報装置において、ライン出力端子が地震速報を示す音声信号を第一のケーブルを用いて放送装置に送出するライン出力処理と、接点信号出力端子が前記ライン出力端子による地震速報を示す音声信号の送出中に第一のケーブルからの入力に基づいて地震速報を放送させるための接点信号を第二のケーブルを用いて放送装置に送出する接点信号出力処理とをコンピュータに実行させることを特徴とする。
【０００９】
本発明の放送装置の地震速報プログラムは、地震速報を出力する地震速報装置に対して地震速報を伝送させる第一のケーブルと第一のケーブルとは別の第二のケーブルとにより接続し、地震速報装置から出力された地震速報を放送する放送装置の地震速報プログラムであり、ライン入力端子が地震速報装置の送出した地震速報を示す音声信号を第一のケーブルから入力するライン入力処理と、接点信号入力端子が地震速報装置が地震速報を示す音声信号の送出中に送出した接点信号を第二のケーブルから入力する接点信号入力処理と、放送制御部が前記接点信号入力端子が接点信号を入力している時に前記ライン入力端子の入力に基づいて地震速報を放送する放送制御処理とをコンピュータに実行させることを特徴とする。
【００１０】
本発明の地震速報システムの地震速報方法は、地震速報を出力する地震速報装置と地震速報装置から出力された地震速報を放送する放送装置とを有し、地震速報装置と放送装置とを地震速報を伝送させる第一のケーブルと第一のケーブルとは別の第二のケーブルとにより接続しておく地震速報システムの地震速報方法であり、地震速報装置において、ライン出力端子が地震速報を示す音声信号を第一のケーブルを用いて放送装置に送出するライン出力処理を行い、接点信号出力端子が前記ライン出力端子による地震速報を示す音声信号の送出中に接点信号を第二のケーブルを用いて放送装置に送出する接点信号出力処理を行い、放送装置において、ライン入力端子が地震速報装置の送出した地震速報を示す音声信号を第一のケーブルから入力するライン入力処理を行い、接点信号入力端子が地震速報装置の送出した接点信号を第二のケーブルから入力する接点信号入力処理を行い、放送制御部が前記接点信号入力端子が接点信号を入力している時に前記ライン入力端子の入力に基づいて地震速報を放送する放送制御処理を行うことを特徴とする。
【００１１】
また、本発明の地震速報システムにおいて、前記地震速報装置は複数の前記放送装置と接続し、前記地震速報装置は、さらに、当該放送装置に第一のケーブルからの入力に基づいて放送を行わせる接点信号のパターン情報を各放送装置に対応させて記憶する記憶機器と、前記記憶機器に記憶されている接点信号のパターン情報が示す当該放送装置に対するパターンで前記接点信号出力端子に各放送装置への接点信号の送出を行わせる接点信号出力制御部とを備えることを特徴とする。
【００１２】
また、本発明の地震速報システムにおいて、前記地震速報装置は、さらに、地震速報を構成する複数の音声情報を記憶すると共に、当該震度での地震速報を構成する各音声情報の出力タイミング情報を各震度に対応させて記憶する記憶機器と、前記記憶機器に記憶されている音声情報の出力タイミング情報が示すタイミングで当該震度での地震速報を構成する各音声情報を示す音声信号を前記ライン出力端子に送出させるライン出力制御部とを備えることを特徴とする。
【００１３】
また、本発明の地震速報システムにおいて、前記地震速報装置は、さらに、所定の震度以上の地震発生時に前記接点信号出力端子に接点信号を送出させる接点信号出力制御部を備えることを特徴とする。
【００１４】
また、本発明の地震速報システムにおいて、前記放送装置は、さらに、任意の音声情報を示す音声信号を送出する音声情報装置と第三のケーブルにより接続し、前記放送装置は、さらに、前記音声情報装置が送出した音声情報を示す音声信号を第三のケーブルから入力する第二のライン入力端子を備え、前記放送装置の前記放送制御部は、前記接点信号入力端子が接点信号を入力している時は前記ライン入力端子の入力に基づいて地震速報を放送し、前記接点信号入力端子が接点信号を入力していない時は前記第二のライン入力端子の入力に基づいて音声情報を放送することを特徴とする。
【００１５】
本発明の配信システムは、不定期に発生する不定期情報を配信する配信装置と配信装置から配信された不定期情報に対する特定処理を行う処理装置とを有する配信システムであり、配信装置は、不定期情報を処理装置に送出する情報出力部と、前記情報出力部による不定期情報の送出中に所定の信号を処理装置に送出する信号出力部とを備え、処理装置は、配信装置が送出した不定期情報を入力する情報入力部と、配信装置が送出した所定の信号を入力する信号入力部と、前記信号入力部が所定の信号を入力している時に前記情報入力部の入力に基づいて不定期情報に対する特定処理を行う制御部とを備えることを特徴とする。
【００１６】
本発明の配信装置は、不定期に発生する不定期情報に対する特定処理を行う処理装置に不定期情報を配信する配信装置であり、不定期情報を処理装置に送出する情報出力部と、前記情報出力部による不定期情報の送出中に前記情報出力部からの入力に基づいて不定期情報に対する特定処理を行わせるための所定の信号を処理装置に送出する信号出力部とを備えることを特徴とする。
【００１７】
本発明の処理装置は、不定期に発生する不定期情報を配信する配信装置から配信された不定期情報に対する特定処理を行う処理装置であり、配信装置が送出した不定期情報を入力する情報入力部と、配信装置が不定期情報の送出中に送出した所定の信号を入力する信号入力部と、前記信号入力部が所定の信号を入力している時に前記情報入力部の入力に基づいて不定期情報に対する特定処理を行う制御部とを備えることを特徴とする。
【００１８】
本発明の配信装置の配信プログラムは、不定期に発生する不定期情報に対する特定処理を行う処理装置に不定期情報を配信する配装置の配信プログラムであり、配信装置において、情報出力部が不定期情報を処理装置に送出する情報出力処理と、信号出力部が前記情報出力部による不定期情報の送出中に前記情報出力部からの入力に基づいて不定期情報に対する特定処理を行わせるための所定の信号を処理装置に送出する信号出力処理とをコンピュータに実行させることを特徴とする。
【００１９】
本発明の処理装置の処理プログラムは、不定期に発生する不定期情報を配信する配信装置から配信された不定期情報に対する特定処理を行う処理装置の処理プログラムであり、処理装置において、情報入力部が配信装置の送出した不定期情報を入力する情報入力処理と、信号入力部が配信装置が不定期情報の送出中に送出した所定の信号を入力する信号入力処理と、制御部が前記信号入力部が所定の信号を入力している時に前記情報入力部の入力に基づいて不定期情報に対する特定処理を行う制御処理とをコンピュータに実行させることを特徴とする。
【００２０】
本発明の配信システムの配信方法は、不定期に発生する不定期情報を配信する配信装置と配信装置から配信された不定期情報に対する特定処理を行う処理装置とを有する配信システムの配信方法であり、配信装置において、情報出力部が不定期情報を処理装置に送出する情報出力処理を行い、信号出力部が前記情報出力部による不定期情報の送出中に所定の信号を処理装置に送出する信号出力処理を行い、処理装置において、情報入力部が配信装置の送出した不定期情報を入力する情報入力処理を行い、信号入力部が配信装置の送出した所定の信号を入力する信号入力処理を行い、制御部が前記信号入力部が所定の信号を入力している時に前記情報入力部の入力に基づいて不定期情報に対する特定処理を行う制御処理を行うことを特徴とする。
【発明の効果】
【００２１】
本発明によれば、例えば、（緊急）地震速報を放送する地震速報システムにおいて、地震速報装置が（緊急）地震速報の有無に応じたステータス信号（接点信号）を出力し、（館内）放送装置がステータス信号に応じて（緊急）地震速報をスピーカ出力して放送することにより、（館内）放送装置の稼動の無駄を無くすとともに雑音の発生を防止することができる。
また、接点信号のパターンを編集することにより、地震速報を放送するスピーカを変更することができるため、どの程度の規模の地震をどこ（例えば、従業員の部屋または客室）に伝えるかなどの地震速報を放送する際の運用を容易に変更することができる。
【発明を実施するための最良の形態】
【００２２】
実施の形態１．
図１は、実施の形態１における地震速報システム９００の構成図である。
実施の形態１では、図１に示すような構成を有し、緊急地震速報装置１００がネットワーク９４０を介して地震情報配信サーバ３００から緊急地震速報を受信して館内放送設備２００に緊急地震速報を伝送する地震速報システム９００について説明する。館内放送設備２００はアンプ機器・オーディオ機器などから構成されるものである。
【００２３】
実施の形態１における緊急地震速報装置１００は接点信号出力が可能な接点信号出力端子１７０を備え、緊急地震速報の出力中であるか否かを接点によるステータス信号として館内放送設備２００に出力する機能を実装する。例えば、緊急地震速報装置１００は緊急地震速報の出力中のステータス信号をＯＮにし、それ以外の時間はステータス信号をＯＦＦにする。
緊急地震速報装置１００の接点信号出力端子１７０はステータス信号がＯＮの時のみライン信号を取り込む機能を有する館内放送設備２００の接点信号入力端子２７０に接続する。
そして、館内放送設備２００は緊急地震速報装置１００が緊急地震速報を出力時のみライン入力を有効にすることにより、効率的に音声出力を行うとともに、緊急地震速報出力時以外のノイズによる雑音を防止することが可能となる。
なお、館内放送設備２００やスピーカ４００の仕様に応じて接点信号の出力パターンは予め設定ファイル１９１に設定し、設定ファイル１９１は編集により任意に変更可能とする。
【００２４】
以下、図１に基づいて地震速報システム９００の各構成について説明する。
【００２５】
地震速報システム９００（配信システムの一例）は地震速報を出力する緊急地震速報装置１００と、緊急地震速報装置１００から出力された地震速報を館内の各所に設置されたスピーカ４００（スピーカ４００Ａ、スピーカ４００Ｂ、・・・）を用いて放送する館内放送設備２００とを有し、緊急地震速報装置１００と館内放送設備２００とを緊急地震速報（以下、地震速報とする）を伝送させる第一のケーブル９９１と第一のケーブル９９１とは別の第二のケーブル９９２とにより接続しておくシステムである。
【００２６】
緊急地震速報装置１００（配信装置の一例）は地震速報制御部１１０、地震速報受信部１２０、接点信号出力端子１７０、ライン出力端子１７１および記憶機器１９０を備える。
地震速報受信部１２０はネットワーク９４０を介して地震情報配信サーバ３００から送信された地震速報を受信する。
ライン出力端子１７１（情報出力部の一例）は地震速報を示す音声信号（以下、地震速報音声信号とする）を第一のケーブル９９１を用いて館内放送設備２００に送出する。
接点信号出力端子１７０（信号出力部の一例）は、ライン出力端子１７１による地震速報音声信号の送出中に、接点信号を第二のケーブル９９２を用いて館内放送設備２００に送出する。
記憶機器１９０は館内放送設備２００に第一のケーブル９９１からの入力に基づいて放送を行わせる接点信号の出力パターンを設定した設定ファイル１９１（パターン情報）と、地震速報を構成する複数の音声ファイル１９３（音声ファイル１９３Ａ、音声ファイル１９３Ｂ、・・・）（音声情報）と、当該震度での地震速報を構成する各音声情報の出力タイミングを設定したルックアップテーブル１９２（出力タイミング情報）とを記憶している。
地震速報制御部１１０は接点信号出力制御部１１１とライン出力制御部１１２とを有して接点信号出力端子１７０とライン出力端子１７１とを制御する。
接点信号出力制御部１１１は、記憶機器１９０に記憶されている設定ファイル１９１が示すパターンで、接点信号出力端子１７０に館内放送設備２００への接点信号の送出を行わせる。
ライン出力制御部１１２は、記憶機器１９０に記憶されているルックアップテーブル１９２が示すタイミングで、当該震度での地震速報を構成する各音声情報（音声信号）をライン出力端子１７１に送出させる。
【００２７】
館内放送設備２００（放送装置、処理装置の一例）は放送制御部２１０、接点信号入力端子２７０、ライン入力端子２７１、ライン出力端子２８０（ライン出力端子２８０Ａ、ライン出力端子２８０Ｂ、・・・）および記憶機器２９０を備える。図１に示す館内放送設備２００は１つであるが、緊急地震速報装置１００は複数の館内放送設備２００と接続していてもよい。
ライン入力端子２７１は緊急地震速報装置１００が送出した地震速報を示す音声信号を第一のケーブル９９１から入力する。
接点信号入力端子２７０は緊急地震速報装置１００が送出した接点信号を第二のケーブル９９２から入力する。
各ライン出力端子２８０（ライン出力端子２８０Ａ、ライン出力端子２８０Ｂ、・・・）は地震速報を放送するためのスピーカ４００（スピーカ４００Ａ、スピーカ４００Ｂ、・・・）のライン入力端子４１０（ライン入力端子４１０Ａ、ライン入力端子４１０Ｂ、・・・）とケーブル接続している。  放送制御部２１０は接点信号入力端子２７０が接点信号を入力している時にライン入力端子２７１の入力に基づいて地震速報を放送する。放送制御部２１０は、各ライン出力端子２８０に地震速報音声信号を出力させることにより、各スピーカ４００から地震速報を放送する。
記憶機器２９０は地震速報を放送させるスピーカ４００を接点信号の出力パターンに対応させて示す出力先ファイル２９１を記憶している。
【００２８】
緊急地震速報装置１００の記憶機器１９０に記憶されているルックアップテーブル１９２は各震度に対応させて当該震度の地震発生時に放送する地震速報の音声ファイル１９３を示している。つまり、ルックアップテーブル１９２は地震の規模に応じた地震速報の放送内容を示している。例えば、ルックアップテーブル１９２を編集することにより、震度２以下の小規模の地震と震度３以上震度４以下の中規模の地震と震度５以上の大規模の地震とに対してそれぞれに異なる地震速報の音声内容や地震速報の放送時間の長さを設定することができる。また、地震速報の音声内容や地震速報の放送時間の長さを変更することにより、地震速報の重要度や警告レベルを表すことができる。つまり、実施の形態１における地震速報システム９００は、ルックアップテーブル１９２を用いることにより、地震の大小に応じた警告を行うことができ、人に適切な対応を促すことができる。ここで、震度は地震の規模を表すものでありマグニチュードであっても構わない。また、地震速報は複数の音声ファイル１９３で構成され、ルックアップテーブル１９２は、地震の規模に応じて、使用する音声ファイル１９３の組み合わせや各音声ファイル１９３の順序・タイミングを示している。例えば、地震速報は地震の発生を示すメッセージ、地震の震度を示すメッセージ、避難を促す警告メッセージ、警告音などの音声ファイル１９３から構成される。地震速報を複数の音声ファイル１９３で構成することにより、ルックアップテーブル１９２において音声ファイル１９３の組み合わせや順序やタイミングを変更すれば様々な地震速報を生成することができ、各震度における地震速報の内容の変更が容易となる。つまり、ルックアップテーブル１９２は、地震の規模に応じて、どの音声ファイル１９３を用いた地震速報音声信号をどのタイミングで館内放送設備２００に出力するかを示している。例えば、ルックアップテーブル１９２は、タイミングをＳ波の予想到達時刻を基準時刻とした相対時間で表し、時刻表のような形式で震度とタイミングとに対応させて使用する音声ファイル１９３を示す。
【００２９】
緊急地震速報装置１００の記憶機器１９０に記憶されている設定ファイル１９１は各館内放送設備２００（または各スピーカ４００）に対する接点信号のパターン情報を示している。つまり、設定ファイル１９１を編集機器（図示省略）により編集することにより、緊急地震速報装置１００から館内放送設備２００に送出する接点信号のパターンを追加・変更することができ、館内放送設備２００・スピーカ４００の仕様に変更があった場合や館内放送設備２００・スピーカ４００の構成に追加・変更があった場合や館内での地震速報を放送する運用に変更があった場合などに容易に対応することができる。例えば、設定ファイル１９１には、震度が２以下のときは館内放送設備２００が備える接点信号入力端子２７０の全てのチャネルに対する接点信号の電圧を０ボルトとし、震度が３以上４以下のときは館内放送設備２００が備える接点信号入力端子２７０のチャネル１に対する接点信号の電圧をＸ（＞０）ボルトとすると共に他のチャネルに対する接点信号の電圧を０ボルトとし、震度が５以上のときは館内放送設備２００が備える接点信号入力端子２７０の全てのチャネルに対する接点信号の電圧をＸボルトとするといった予め取り決められた内容を館内放送設備２００毎（またはスピーカ４００毎）に設定することができる。設定信号のパターンとは、例えば、異なる電圧値、電流値、入出力に使用する端子内のチャネル、信号長、位相、振幅などの組み合わせである。
【００３０】
館内放送設備２００の記憶機器２９０に記憶されている出力先ファイル２９１は接点信号の各パターンに対応させて地震速報音声信号の出力先のライン出力端子２８０を示している。出力先ファイル２９１は編集機器により編集することができる。つまり、出力先ファイル２９１は接点信号の各パターンに対応させて地震速報を放送させるスピーカ４００を示している。例えば、出力先ファイル２９１は、接点信号入力端子２７０のチャネル１以外のチャネルの信号電圧を０ボルトとするパターンの接点信号に対してライン出力端子２８０Ａに接続するスピーカ４００Ａから地震速報を放送するということや、接点信号入力端子２７０の全てのチャネルの信号電圧をＸボルトとするパターンの接点信号に対して各ライン出力端子２８０に接続する全てのスピーカ４００から地震速報を放送するということを示す。つまり、出力先ファイル２９１を編集すれば地震速報を放送するスピーカ４００を変更することができるため、どの程度の規模の地震をどこ（例えば、従業員の部屋または客室）に伝えるかなどの地震速報を放送する際の運用を容易に変更することができる。
【００３１】
図２は、実施の形態１における緊急地震速報装置１００、館内放送設備２００、地震情報配信サーバ３００のハードウェア資源の一例を示す図である。
図２において、緊急地震速報装置１００、館内放送設備２００、地震情報配信サーバ３００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、磁気ディスク装置９２０と接続され、これらのハードウェアデバイスを制御する。磁気ディスク装置９２０の代わりにその他の記憶装置（例えば、ＲＡＭやフラッシュメモリなどの半導体メモリ）を用いてもよい。
ＲＡＭ９１４は、揮発性メモリの一例である。ＲＯＭ９１３、磁気ディスク装置９２０の記憶媒体は、不揮発性メモリの一例である。これらは、記憶機器、記憶装置あるいは記憶部の一例である。
通信ボード９１５は、入出力機器、入出力装置あるいは入出力部の一例である。また、入出力データが記憶されている記憶装置は入出力機器、入出力装置あるいは入出力部の一例である。
【００３２】
通信ボード９１５は、有線または無線で、ＬＡＮ（Ｌｏｃａｌ  Ａｒｅａ  Ｎｅｔｗｏｒｋ）、インターネット、ＩＳＤＮ等のＷＡＮ（ワイドエリアネットワーク）、電話回線などのネットワーク９４０に接続されている。
【００３３】
磁気ディスク装置９２０には、ＯＳ９２１（オペレーティングシステム）、プログラム群９２３、ファイル群９２４が記憶されている。プログラム群９２３のプログラムは、ＣＰＵ９１１、ＯＳ９２１により実行される。
【００３４】
上記プログラム群９２３には、実施の形態において「〜部」、「〜端子」、「〜機器」として説明する機能を実行するプログラムが記憶されている。プログラムは、ＣＰＵ９１１により読み出され実行される。
【００３５】
ファイル群９２４には、実施の形態において、「〜部」や「〜端子」や「〜機器」の機能を実行した際の「〜の判定結果」、「〜の計算結果」、「〜の処理結果」などの結果データ、「〜部」や「〜端子」や「〜機器」の機能を実行するプログラム間で受け渡しするデータ、その他の情報やデータや信号値や変数値やパラメータが、「〜ファイル」や「〜データベース」の各項目として記憶されている。音声ファイル１９３、ルックアップテーブル１９２、設定ファイル１９１、出力先ファイル２９１などはファイル群９２４に含まれるものの一例である。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、磁気ディスク装置９２０の磁気ディスク、その他の記録媒体に記録される。また、データや信号値は、バス９１２や信号線やケーブルその他の伝送媒体によりオンライン伝送される。
【００３６】
また、実施の形態において「〜部」、「〜端子」、「〜機器」として説明するものは、「〜回路」、「〜装置」、「〜手段」であってもよく、また、「〜ステップ」、「〜手順」、「〜処理」であってもよい。すなわち、「〜部」、「〜端子」、「〜機器」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスクやその他の記録媒体に記憶される。プログラムはＣＰＵ９１１により読み出され、ＣＰＵ９１１により実行される。すなわち、地震速報プログラム（配信プログラム、処理プログラムの一例）は、「〜部」、「〜端子」、「〜機器」としてコンピュータを機能させるものである。あるいは、「〜部」、「〜端子」、「〜機器」の手順や方法をコンピュータに実行させるものである。
【００３７】
図３は、実施の形態１における地震速報システム９００の地震速報方法を示すフローチャートである。
実施の形態１における地震速報システム９００の地震速報方法（配信方法の一例）について、図３に基づいて以下に説明する。
【００３８】
まず、ある場所において地震が発生したものとする。地震の揺れは５〜７ｋｍ／秒程度の速さで伝わる振幅の小さなＰ波と３〜４ｋｍ／秒程度の速さで伝わる振幅の大きなＳ波との２つの波として各地に伝わり、主にＳ波による大きな揺れが災害を引き起こす。
各地には地震の揺れを観測する観測器が設置され、観測器はＳ波より早く伝わるＰ波による揺れを観測した時点で気象庁の地震情報配信サーバ３００への通知を行う。
地震速報システム９００はＳ波が到達する前に地震速報を各所に提供することにより地震による災害を最小限に抑えることを目的とする。例えば、人は１０秒程度でも前に地震が起こる（Ｓ波が到達する）ということを知ることができれば火の始末、安全な場所への避難、危険な場所からの退避、機械・作業の停止など様々な対応を取ることができ、地震による災害は最小限に抑えられる。
地震速報システム９００は、家、病院、工事現場、学校、ビル、マンションなどの館内において各階や各部屋に設置したスピーカ４００から地震速報を放送する方法として以下の地震速報方法を取ることを特徴とする。図１には実施の形態１における地震速報システム９００の構成として館内放送設備２００を１つ示しているが、緊急地震速報装置１００が複数の館内放送設備２００と接続し、複数の館内に館内放送設備２００が設置されているものとする。
【００３９】
＜Ｓ１０１：地震速報配信処理＞
地震情報配信サーバ３００は、観測器から地震が発生したことを示す通知を受けた際に、地震速報をネットワーク９４０を介して緊急地震速報装置１００に送信する。
＜Ｓ１０２：緊急地震速報処理＞
緊急地震速報装置１００は、地震情報配信サーバ３００から地震速報を受信した際に、地震速報音声信号を館内放送設備２００に送出する。このとき、緊急地震速報装置１００は地震速報音声信号と共に地震速報音声信号の送出中であるか否かのステータスを示す接点信号（ステータス信号）を館内放送設備２００に送出することを特徴とする。
＜Ｓ１０３：館内放送処理＞
館内放送設備２００は、緊急地震速報装置１００から地震速報音声信号を入力した際に、地震速報を知らせる音声を各所に設置したスピーカ４００から放送する。このとき、館内放送設備２００は接点信号を入力している時だけ入力信号を処理して地震速報を放送することを特徴とする。
【００４０】
以下に、緊急地震速報装置１００による緊急地震速報処理（Ｓ１０２）の詳細と館内放送設備２００による館内放送処理（Ｓ１０３）の詳細とについて説明する。
【００４１】
まず、実施の形態１における緊急地震速報装置１００の緊急地震速報処理（Ｓ１０２）の詳細について、図４に基づいて以下に説明する。
図４は、実施の形態１における緊急地震速報装置１００の緊急地震速報処理（Ｓ１０２）の流れを示すフローチャートである。
【００４２】
＜Ｓ２０１：地震速報受信処理＞
地震速報受信部１２０は地震情報配信サーバ３００が送信した地震速報をネットワーク９４０を介して受信する。そして、地震速報受信部１２０は受信した地震速報を地震速報制御部１１０に出力する。
地震情報配信サーバ３００が送信する地震速報は各地におけるＳ波の予想到達時刻や予想震度を示す。
【００４３】
＜Ｓ２０２：ライン出力制御処理＞
地震速報受信部１２０から地震速報の入力があったとき、地震速報制御部１１０はライン出力制御部１１２を起動してライン出力制御処理（Ｓ２０２）を実行する。ライン出力制御部１１２は以下のライン出力制御処理（Ｓ２０２ａ〜Ｓ２０２ｄ）をＣＰＵを用いて実行する。
【００４４】
まず、ライン出力制御部１１２は地震速報に基づいて館内放送設備２００（またはスピーカ４００）の設置位置におけるＳ波の予想到達時刻と予想震度とを判別する（Ｓ２０２ａ：地震情報判別処理）。
次に、ライン出力制御部１１２は記憶機器１９０に記憶されているルックアップテーブル１９２にアクセスする（Ｓ２０２ｂ：出力タイミング情報アクセス処理）。
次に、ライン出力制御部１１２は、ルックアップテーブル１９２に基づいて、Ｓ２０２ａで判別した予想震度に対応する音声ファイル１９３を記憶機器１９０から取得する（Ｓ２０２ｃ：音声情報取得処理）。
そして、ライン出力制御部１１２は、ルックアップテーブル１９２に基づいて、Ｓ２０２ｃで取得した音声ファイル１９３が示す音声信号（地震速報音声信号）をＳ２０２ａで判別した予想到達時刻を基準時刻としたタイミングでライン出力端子１７１に出力させる（Ｓ２０２ｄ：地震速報出力命令処理）。
【００４５】
＜Ｓ２０３：接点信号出力制御処理＞
また、地震速報受信部１２０から地震速報の入力があったとき、地震速報制御部１１０は接点信号出力制御部１１１を起動して接点信号出力制御処理（Ｓ２０３）を実行する。接点信号出力制御部１１１は、ライン出力制御部１１２のライン出力制御処理（Ｓ２０２）と並行して、以下の接点信号出力制御処理（Ｓ２０３ａ〜Ｓ２０３ｃ）をＣＰＵを用いて実行する。
【００４６】
まず、接点信号出力制御部１１１は記憶機器１９０に記憶されている設定ファイル１９１にアクセスする（Ｓ２０３ａ：パターン情報アクセス処理）。
次に、接点信号出力制御部１１１は設定ファイル１９１から各館内放送設備２００について接点信号のパターン情報を取得する（Ｓ２０３ｂ：パターン情報取得処理）。
そして、接点信号出力制御部１１１は、ライン出力端子１７１が地震速報音声信号を出力しているときのみ、Ｓ２０３ｂで取得したパターン情報が示すパターンを持つ接点信号を接点信号出力端子１７０に出力させる。例えば、接点信号出力制御部１１１は、ライン出力制御部１１２から地震速報出力命令（Ｓ２０２ｄ）の開始と終了との通知を受けて、ライン出力端子１７１が地震速報音声信号を出力しているか否かを判断する（Ｓ２０３ｃ：接点信号出力命令処理）。
【００４７】
＜Ｓ２０４：ライン出力処理（情報出力処理の一例）＞
ライン出力端子１７１はライン出力制御部１１２の地震速報出力命令（Ｓ２０２ｄ）に合わせて地震速報音声信号を第一のケーブル９９１に送出する。つまり、ライン出力端子１７１は震度に対応させて特定の地震速報音声信号を特定のタイミングで館内放送設備２００のライン入力端子２７１に送出する。
【００４８】
＜Ｓ２０５：接点信号出力処理（信号出力処理の一例）＞
接点信号出力端子１７０は接点信号出力制御部１１１の接点信号出力命令（Ｓ２０３ｃ）に合わせて接点信号を第二のケーブル９９２に送出する。つまり、接点信号出力端子１７０は、ライン出力端子１７１が地震速報音声信号を出力しているときだけ、特定パターンの接点信号を館内放送設備２００の接点信号入力端子２７０に送出する。
【００４９】
次に、実施の形態１における館内放送設備２００の館内放送処理（Ｓ１０３）の詳細について、図５に基づいて以下に説明する。
図５は、実施の形態１における館内放送設備２００の館内放送処理（Ｓ１０３）の流れを示すフローチャートである。
【００５０】
＜Ｓ３０１：ライン入力処理（情報入力処理の一例）＞
ライン入力端子２７１は第一のケーブル９９１から信号を入力する。つまり、ライン入力端子２７１はライン出力端子１７１が震度に対応させて送出した特定の地震速報音声信号を特定のタイミングで入力する。
【００５１】
＜Ｓ３０２：接点信号入力処理（信号入力処理の一例）＞
接点信号入力端子２７０は第二のケーブル９９２から信号を入力する。つまり、接点信号入力端子２７０は緊急地震速報装置１００の接点信号出力端子１７０が館内放送設備２００に送出した特定パターンの接点信号を入力する。また、接点信号入力端子２７０が接点信号を入力する時間帯とライン入力端子２７１が地震速報音声信号を入力する時間帯とは一致する。そして、接点信号入力端子２７０は入力した信号を放送制御部２１０に出力する。
【００５２】
＜Ｓ３０３：放送制御処理（制御処理の一例）＞
接点信号入力端子２７０からの信号の入力があったとき、放送制御部２１０は以下の放送制御処理（Ｓ３０３ａ〜Ｓ３０３ｃ）をＣＰＵを用いて実行する。
【００５３】
まず、放送制御部２１０は記憶機器２９０に記憶されている出力先ファイル２９１にアクセスする（Ｓ３０３ａ：パターン情報アクセス処理）。
次に、放送制御部２１０は、出力先ファイル２９１に基づいて、接点信号入力端子２７０が入力した信号（接点信号）のパターンに対応する地震速報音声信号の出力先を判別する（Ｓ３０３ｂ：地震速報出力先判別処理）。
そして、放送制御部２１０はライン入力端子２７１にＳ３０３ｂで判別した出力先のライン出力端子２８０に対して入力信号（地震速報音声信号）を出力させ、各ライン出力端子２８０はライン入力端子２７１から入力した信号（地震速報音声信号）をケーブル接続するスピーカ４００に送出し、各スピーカ４００はライン入力端子４１０で入力したライン入力端子２７１からの信号（地震速報音声信号）を音声出力する（Ｓ３０３ｃ：地震速報放送処理）。
【００５４】
つまり、放送制御部２１０は、接点信号入力端子２７０が特定パターンの信号を入力しているときにライン入力端子２７１が入力している信号に基づいて、特定のスピーカ４００を用いて放送を行う。ここで、特定パターンを持つ信号は接点信号であり、接点信号入力端子２７０が接点信号を入力している時にライン入力端子２７１が入力する信号は地震速報音声信号であるから、放送制御部２１０は特定のスピーカ４００を用いて地震速報のみ放送することができる。つまり、放送制御部２１０が地震速報音声信号とノイズ信号とを接点信号に基づいて区別できるため、ライン入力端子２７１がノイズ信号を入力しても、スピーカ４００がノイズ信号に基づく雑音を出力することは無く、スピーカ４００がノイズ信号に基づく雑音を出力するために電力を消費することも無い。また、放送制御部２１０が接点信号とノイズ信号とを信号のパターンに基づいて区別できるため、接点信号入力端子２７０がノイズ信号を入力しても、スピーカ４００がノイズ信号に基づく雑音を出力することは無く、スピーカ４００がノイズ信号に基づく雑音を出力するために電力を消費することも無い。
【００５５】
実施の形態１において、上記説明ではスピーカ４００からの放送という警告手段により地震速報の通知を行う形態を説明したが、スピーカ４００からの放送とは別に、または、スピーカ４００からの放送に代えて、他の警告手段により地震速報の通知を行ってもよい。他の警告手段には例えば警告灯の点灯がある。警告灯の点灯方法はスピーカ４００からの放送と同様であり、例えば、接点信号入力端子２７０が接点信号を入力しているときにライン入力端子２７１が入力している信号のパターンに合わせて警告灯を点灯・点滅させる。
【００５６】
また、実施の形態１において、上記説明ではライン出力端子１７１とライン入力端子２７１との接続、接点信号出力端子１７０と接点信号入力端子２７０との接続およびライン出力端子２８０とライン入力端子４１０との接続方法を有線接続（ケーブル接続）とする形態を説明したが、接続方法は無線接続であってもよい。
【００５７】
また、実施の形態１において、地震速報は不定期に発生する不定期情報の一例であり、緊急地震速報装置１００は不定期情報を配信する配信情報の一例であり、館内放送設備２００は配信装置から配信された不定期情報に対する特定処理を行う処理装置の一例であり、地震速報システム９００は配信情報と処理装置とを有する配信システムの一例である。また、スピーカ４００からの放送や警告灯の点灯は処理装置が行う不定期情報に対する特定処理の一例である。
【００５８】
実施の形態１において以下のような効果を有する地震速報システム９００、地震速報方法について説明した。
特定のステータスを示す接点信号を用いることにより、館内放送設備２００側においてライン入力の有効／無効を制御することが可能となり、緊急地震速報の送出中以外に発生したノイズを雑音として出力することを無くすことが出来る。
【００５９】
また、実施の形態１において以下のような配信システム（例えば、地震速報システム９００）、配信方法（例えば、地震速報方法）について説明した。
配信システム（例えば、地震速報システム９００）は、不定期に発生する不定期情報（例えば、地震速報）を配信する配信装置（例えば、緊急地震速報装置１００）と配信装置から配信された不定期情報に対する特定処理（例えば、スピーカ４００からの放送）を行う処理装置（例えば、館内放送設備２００）とを有する。
また、配信装置は、不定期情報を処理装置に送出する情報出力部（例えば、ライン出力端子１７１）と、情報出力部による不定期情報の送出中に所定の信号（例えば、接点信号）を処理装置に送出する信号出力部（例えば、接点信号出力端子１７０）とを備える。
また、処理装置は、配信装置が送出した不定期情報を入力する情報入力部（例えば、ライン入力端子２７１）と、配信装置が送出した所定の信号を入力する信号入力部（例えば、接点信号入力端子２７０）と、信号入力部が所定の信号を入力している時に情報入力部の入力に基づいて不定期情報に対する特定処理を行う制御部（例えば、放送制御部２１０）とを備える。
【００６０】
実施の形態１における配信システム（例えば、地震速報システム９００）は、例えば、映画館や遊園地や野球場などの遊戯施設においてエレベータやエスカレータでの音声案内や乗り物の動作制御（例えば、動作停止）などにも利用することができる。
【００６１】
実施の形態２．
上記実施の形態１では緊急地震速報装置１００は地震情報配信サーバ３００から地震速報を受信した場合には地震速報音声信号と接点信号とを館内放送設備２００に送出したが、緊急地震速報装置１００は特定規模の地震に関する地震速報を地震情報配信サーバ３００から受信した場合にだけ地震速報音声信号と接点信号とを館内放送設備２００に送出してもよい。
実施の形態２では、緊急地震速報装置１００が所定の震度以上の地震に関する地震速報を地震情報配信サーバ３００から受信した場合にだけ地震速報音声信号と接点信号とを館内放送設備２００に送出する形態について説明する。
以下、上記実施の形態１と異なる事項を中心に説明し、説明しない事項については上記実施の形態１と同様であるものとする。
【００６２】
実施の形態２における地震速報システム９００の構成は、上記実施の形態１（図１参照）と同様であり、緊急地震速報装置１００の有するライン出力制御部１１２が所定の震度以上の地震発生時に接点信号出力端子１７０に接点信号を送出させることを特徴とする。
【００６３】
実施の形態２における地震速報システム９００の地震速報方法（Ｓ１０１〜Ｓ１０３）（図３参照）は上記実施の形態１と同様である。
【００６４】
図６は、実施の形態２における緊急地震速報装置１００の緊急地震速報処理（Ｓ１０２）の流れを示すフローチャートである。
実施の形態２における緊急地震速報装置１００の緊急地震速報処理（Ｓ１０２）の詳細について、図６に基づいて以下に説明する。
図６において、実施の形態２における緊急地震速報装置１００の緊急地震速報処理（Ｓ１０２）は震度判定処理（Ｓ２０６）を実行することを特徴とする。Ｓ２０１〜Ｓ２０５は実施の形態１と同様である（図４参照）。
以下に震度判定処理（Ｓ２０６）について説明する。
【００６５】
＜Ｓ２０６：震度判定処理＞
Ｓ２０１において地震速報受信部１２０から地震速報の入力があったとき、地震速報制御部１１０は地震速報に基づいて館内放送設備２００（またはスピーカ４００）の設置位置における予想震度を判別する（Ｓ２０６ａ：震度情報判別処理）。
そして、地震速報制御部１１０はＳ２０６ａで判別した予想震度と所定の震度とを比較して予想震度が所定の震度以上であるか判定する。所定の震度は予め定められ記憶機器１９０に記憶されているものとする（Ｓ２０６ｂ：震度判定処理）。
【００６６】
また、ライン出力制御処理（Ｓ２０２）において、地震速報制御部１１０は震度判定処理（Ｓ２０６）で予想震度が所定の震度以上であると判定した当該館内放送設備２００（またはスピーカ４００）についてライン出力制御部１１２に通知する。そして、ライン出力制御部１１２は通知された館内放送設備２００（またはスピーカ４００）について上記ライン出力制御処理（Ｓ２０２ａ〜Ｓ２０２ｄ）（実施の形態１参照）を実行する。
また、接点信号出力制御処理（Ｓ２０３）において、地震速報制御部１１０は震度判定処理（Ｓ２０６）で予想震度が所定の震度以上であると判定した当該館内放送設備２００（またはスピーカ４００）について接点信号出力制御部１１１に通知する。そして、接点信号出力制御部１１１は通知された館内放送設備２００（またはスピーカ４００）について上記接点信号出力制御処理（Ｓ２０３ａ〜Ｓ２０３ｃ）（実施の形態１参照）を実行する。
【００６７】
つまり、震度判定処理（Ｓ２０６）で震度を判定することにより、緊急地震速報装置１００は所定の震度以上の地震に関する地震速報を地震情報配信サーバ３００から受信した場合にのみ地震速報音声信号と接点信号とを館内放送設備２００に送出することができる。これにより、規模の小さい地震にも関らず、地震速報が原因で人がパニックを起こすというようなことを防ぐことができる。
【００６８】
実施の形態３．
実施の形態３では館内放送設備２００が地震速報音声信号を入力するライン入力端子２７１とは別のライン入力端子を有する形態について説明する。
以下、上記実施の形態１と異なる事項を中心に説明し、説明しない事項については上記実施の形態１と同様であるものとする。
【００６９】
図７は、実施の形態３における地震速報システム９００の構成図である。
図７において、実施の形態３における地震速報システム９００の構成は、館内放送設備２００がマイク５１０からの音声信号を入力するライン入力端子Ｂ２７２を有することを特徴とする。
ライン入力端子Ｂ２７２（第二のライン入力端子の一例）は入力した音声情報（任意の音声情報の一例）を示す音声信号を送出するマイク５１０（音声情報装置の一例）のライン出力端子５１１と第三のケーブル９９３により接続し、マイク５１０が送出した音声信号を第三のケーブル９９３から入力する。
また、館内放送設備２００の放送制御部２１０は、接点信号入力端子２７０が接点信号を入力している時はライン入力端子２７１の入力に基づいて地震速報を放送する制御を行い、接点信号入力端子２７０が接点信号を入力していない時はライン入力端子Ｂ２７２の入力に基づいて音声情報を放送する制御を行うことを特徴とする。
【００７０】
実施の形態３における地震速報システム９００の地震速報方法（Ｓ１０１〜Ｓ１０３）（図３参照）は上記実施の形態１と同様である。
【００７１】
図８は、実施の形態３における館内放送設備２００の館内放送処理（Ｓ１０３）の流れを示すフローチャートである。
実施の形態３における館内放送設備２００の館内放送処理（Ｓ１０３）の詳細について、図８に基づいて以下に説明する。
図８において、実施の形態３における館内放送設備２００の館内放送処理（Ｓ１０３）はライン入力処理Ｂ（Ｓ３０４）、ライン選択処理（Ｓ３０５）および放送制御処理Ｂ（Ｓ３０６）を実行することを特徴とする。Ｓ３０１〜Ｓ３０３は実施の形態１と同様である（図５参照）。
以下にライン入力処理Ｂ（Ｓ３０４）、ライン選択処理（Ｓ３０５）および放送制御処理Ｂ（Ｓ３０６）について説明する。
【００７２】
＜Ｓ３０４：ライン入力処理Ｂ＞
ライン入力端子Ｂ２７２は第三のケーブル９９３から信号を入力する。つまり、ライン入力端子Ｂ２７２はマイク５１０に収集された音を示す音声信号をライン出力端子５１１から入力する。
【００７３】
＜Ｓ３０５：ライン選択処理＞
放送制御部２１０は、接点信号入力端子２７０からの信号入力があるか判定し、接点信号入力端子２７０からの信号入力が有る場合には上記放送制御処理（Ｓ３０３）（上記実施の形態１参照）を実行し、接点信号入力端子２７０からの信号入力が無い場合には以下に説明する放送制御処理Ｂ（Ｓ３０６）を実行する。
【００７４】
＜Ｓ３０６：放送制御処理Ｂ＞
放送制御部２１０はライン入力端子Ｂ２７２に各ライン出力端子２８０に対する入力信号（マイク５１０からの音声信号）の出力をさせ、各ライン出力端子２８０はライン入力端子２７１から入力した信号をケーブル接続するスピーカ４００に送出し、各スピーカ４００はライン入力端子４１０で入力したライン入力端子２７１からの信号を音声出力する。
【００７５】
以上のようにすることで、地震速報システム９００は、館内放送設備２００に複数のライン入力がある場合でも、地震速報を優先して放送することができる。
実施の形態３において、ライン入力端子Ｂ２７２についてもライン入力端子２７１と同様に、対になる接点信号入力端子を設け、対の接点信号入力端子が接点信号を入力しているときにだけライン入力端子Ｂ２７２が入力している音声信号を音声出力するように制御してもよい。
【図面の簡単な説明】
【００７６】
【図１】実施の形態１における地震速報システム９００の構成図。
【図２】実施の形態１における緊急地震速報装置１００、館内放送設備２００、地震情報配信サーバ３００のハードウェア資源の一例を示す図。
【図３】実施の形態１における地震速報システム９００の地震速報方法を示すフローチャート。
【図４】実施の形態１における緊急地震速報装置１００の緊急地震速報処理（Ｓ１０２）の流れを示すフローチャート。
【図５】実施の形態１における館内放送設備２００の館内放送処理（Ｓ１０３）の流れを示すフローチャート。
【図６】実施の形態２における緊急地震速報装置１００の緊急地震速報処理（Ｓ１０２）の流れを示すフローチャート。
【図７】実施の形態３における地震速報システム９００の構成図。
【図８】実施の形態３における館内放送設備２００の館内放送処理（Ｓ１０３）の流れを示すフローチャート。
【図９】地震速報システム９０１の一例。
【符号の説明】
【００７７】
１００  緊急地震速報装置、１１０  地震速報制御部、１１１  接点信号出力制御部、１１２  ライン出力制御部、１２０  地震速報受信部、１７０  接点信号出力端子、１７１  ライン出力端子、１９０  記憶機器、１９１  設定ファイル、１９２  ルックアップテーブル、１９３  音声ファイル、２００  館内放送設備、２１０  放送制御部、２７０  接点信号入力端子、２７１  ライン入力端子、２７２  ライン入力端子Ｂ、２８０  ライン出力端子、２９０  記憶機器、２９１  出力先ファイル、３００  地震情報配信サーバ、４００  スピーカ、４１０  ライン入力端子、５１０  マイク、５１１  ライン出力端子、８１０  緊急地震速報装置、８２０  館内放送設備、９００，９０１  地震速報システム、９１１  ＣＰＵ、９１２  バス、９１３  ＲＯＭ、９１４  ＲＡＭ、９１５  通信ボード、９２１  ＯＳ、９２３  プログラム群、９２４  ファイル群、９４０  ネットワーク、９９１  第一のケーブル、９９２  第二のケーブル、９９３  第三のケーブル。
【図１】
2008166975.tif 000003
【図２】
2008166975.tif 000004
【図３】
2008166975.tif 000005
【図４】
2008166975.tif 000006
【図５】
2008166975.tif 000007
【図６】
2008166975.tif 000008
【図７】
2008166975.tif 000009
【図８】
2008166975.tif 000010
【図９】
2008166975.tif 000011